(57)【要約】【課題】  アサリの浮遊幼生期〜着底期〜稚貝期〜成貝期までのライフサイクルにおいて最適な環境を保持するとともに浮遊幼生が着底し易い底質環境を提供可能な干潟覆砂材料、干潟造成方法、覆砂方法及び干潟覆砂構造を提供する。【解決手段】  この干潟覆砂材料は、人工干潟やアサリ漁場の造成の際に、アサリの浮遊幼生が着底するために最適な粒径である粗砂を砂質土に混合することにより、混合後の粗砂分含有率２０〜５０％、かつ、粒径０．８５ｍｍの通過質量百分率５０〜８０％、かつ、粒径２ｍｍの通過質量百分率７０〜１００％としたものである。【選択図】  図４
2006274690.tif 000002
【特許請求の範囲】
【請求項１】
粗砂を砂質土に混合することにより、混合後の粗砂分含有率２０〜５０％、かつ、粒径０．８５ｍｍの通過質量百分率５０〜８０％、かつ、粒径２ｍｍの通過質量百分率７０〜１００％としたことを特徴とする干潟覆砂材料。
【請求項２】
前記干潟覆砂材料はアサリ生育に適する請求項１に記載の干潟覆砂材料。
【請求項３】
粗砂を砂質土に混合することにより、混合後の干潟覆砂材料が粗砂分含有率２０〜５０％、かつ、粒径０．８５ｍｍの通過質量百分率５０〜８０％、かつ、粒径２ｍｍの通過質量百分率７０〜１００％となるように人工干潟を造成することを特徴とする干潟造成方法。
【請求項４】
粗砂分含有率２０％未満、砂分含有率６０％以上、及び細粒分含有率４０％未満である砂質土に粗砂を混合することにより、混合後の干潟覆砂材料が粗砂分含有率２０〜５０％、かつ、粒径０．８５ｍｍの通過質量百分率５０〜８０％、かつ、粒径２ｍｍの通過質量百分率７０〜１００％となるように人工干潟を造成することを特徴とする干潟造成方法。
【請求項５】
粗砂分含有率２０％未満、細粒分含有率３０％未満、粒径２ｍｍの通過質量百分率８０〜１００％、及び平均粒径Ｄ50＝０．１５〜０．６ｍｍである砂質土に粗砂を混合することにより、混合後の干潟覆砂材料が粗砂分含有率２０〜５０％、かつ、粒径０．８５ｍｍの通過質量百分率５０〜８０％、かつ、粒径２ｍｍの通過質量百分率７０〜１００％となるように人工干潟を造成することを特徴とする干潟造成方法。
【請求項６】
粗砂分含有率２０％未満、かつ、砂分含有率６０％以上、かつ、細粒分含有率４０％未満の砂質土からなる干潟表層部に粗砂を３ｃｍ程度以内の層厚に散布することで人工干潟を造成することを特徴とする干潟造成方法。
【請求項７】
前記人工干潟はアサリ生育に適する請求項３乃至６のいずれか１項に記載の干潟造成方法。
【請求項８】
粗砂分含有率２０％未満、砂分含有率６０％以上、及び細粒分含有率４０％未満の砂質土に砂混合装置を使用して粗砂を混合することで請求項１に記載の干潟覆砂材料を調製した後に人工干潟の所定の領域に投下することを特徴とする干潟覆砂方法。
【請求項９】
粗砂分含有率２０％未満、砂分含有率６０％以上、及び細粒分含有率４０％未満の砂質土からなる干潟表層部に、砂散布装置を使用して粗砂を散布することによって前記干潟表層部を請求項１に記載の干潟覆砂材料に改質することを特徴とする干潟覆砂方法。
【請求項１０】
前記干潟覆砂方法による干潟はアサリ生育に適する請求項８または９に記載の干潟造成方法。
【請求項１１】
粗砂分含有率２０％未満、かつ、砂分含有率６０％以上、かつ、細粒分含有率４０％未満の砂質土からなる干潟表層部に粗砂を３ｃｍ程度以内の層厚に散布することによって構成されることを特徴とする二層覆砂形式の干潟覆砂構造。
【請求項１２】
粗砂分含有率２０％未満、かつ、砂分含有率６０％以上、かつ、細粒分含有率４０％未満の砂質土からなる干潟表層部で粗砂を複数のエリアに散布し複数の粗砂溜まりを形成することによって構成されることを特徴とする干潟覆砂構造。
【請求項１３】
前記複数の粗砂溜まりが前記干潟表層部の平均潮位以下のエリアに形成されたことを特徴とする請求項１２に記載の干潟覆砂構造。
【請求項１４】
前記干潟覆砂構造による干潟はアサリ生育に適する請求項１１，１２または１３に記載の干潟覆砂構造。
【発明の詳細な説明】
【技術分野】
【０００１】
本発明は、アサリ資源量増加のための人工干潟またはアサリ漁場の干潟覆砂材料、干潟造成方法、干潟覆砂方法及び干潟覆砂構造に関するものである。
【背景技術】
【０００２】
アサリのライフサイクル（浮遊幼生期〜着底期〜稚貝期〜成貝期）の中で、浮遊幼生の着底については、着底場所選択行動（自らの足部で底質条件を確かめて着底場所を選択する行動）を行うことが知られており、特に、粗砂（粒径０．８５〜２ｍｍ）を好むという報告がある（下記非特許文献１参照）。即ち、非特許文献１によれば、図１（ａ）のように、粒径０．８５〜２ｍｍの粗砂で特に良好な結果が得られている。図１（ａ）の結果を得るための調査方法をまとめると、図１（ｂ）のようになり、図１（ａ）の結果はアサリ幼生について７粒径（０．０６３〜４ｍｍ）に区分した着底床で着底個体数を調査して得られたものである。
【０００３】
アサリの浮遊幼生は着底した後に、たんぱく質からなる粘性の足糸を伸ばし、この足糸を土粒子等の基質に接着させることによって潮流などで流されることを防いでいると考えられ（図２参照）、また、浮遊幼生から稚貝に成長する過程で負の走光性を示し、隠蔽場所を求める特性があると考えられることから、ある程度大きな粒径の砂を好むものと推定されている。
【０００４】
従来の研究事例を参考にして、アサリの生育環境と粒度分布の関係をまとめると図３に示す通りである。図３のように、細粒分（粘土シルト分）含有率４０％以上では生育不可能と考えられており、アサリ成貝の生息調査から推定される生育最適環境は、中央粒径Ｄ50＝０．２〜０．４ｍｍ、細粒分含有率２０〜３０％と考えられている。
【０００５】
浮遊幼生の着底については、前述の通り、粗砂（粒径０．８５〜２ｍｍ）を好むという報告があるが、浮遊幼生期〜着底期〜稚貝期〜成貝期のライフサイクルに最も適した粗砂分含有率に関する知見は得られていない。
【０００６】
アサリは、浮遊幼生から稚貝に成長するまでの過程では、着底適地として粗砂を好むものの、稚貝から成貝に成長するまでの過程では、保水性と摂餌活動のため更に潜砂行動のし易さを求めて粗砂よりも細かい粒径を好み、成長する過程でより生育環境の適地を求めて移動する習性があると考えられている。成貝はほとんど移動性を示さないが、稚貝の時期には移動性が大きく、１ヶ月間で５ｍ程度移動したという報告もある。
【０００７】
なお、アサリの成貝と稚貝は、生殖器官の発達によって区別され、一般に、殻長１０〜２５ｍｍで成熟状態（生殖能力あり）となる。１歳未満、殻長１５ｍｍ未満を稚貝、１歳以上、殻長１５〜２０ｍｍ以上を成貝と区別する場合もある。
【０００８】
図３にアサリが多く生息している天然干潟（東京湾）の粒度分布の一例を併せて示すが、この干潟の粒度分布は生育最適環境の範囲に一致してはいない。この干潟の粒度分布を、アサリの生育により適した粒度分布に改質するための手段として、保水性向上や栄養分補給を目的として細粒分を添加混合するという考えが報告されている。
【０００９】
なお、所望の干潟底生生物の生息条件に応じて、砂、細粒分、有機物、バクテリア等の任意の材料を、最適配合でブレンドして、覆砂材料として活用する方法（例えば、下記特許文献１参照）や、所望の干潟底生生物の生息条件に応じて粒度及び強熱減量を調製した覆砂材料を活用する方法（例えば、下記特許文献２参照）が公知である。しかし、特許文献１にはアサリに関する生育最適環境については開示も示唆もなく、また、特許文献２では、所望の干潟底生生物に適した環境を整えるためにアサリと底質との関係を点数化する方法が開示されているが、上述のようなアサリの成長過程における習性を考慮した砂の粒度分布、特に粗砂分については着目していない。
【非特許文献１】「アサリ幼生の着底場選択性と三河湾における分布量」水産工学Vol.29(1)  55〜59頁、1992
【特許文献１】特開２０００−３１４１１６号公報
【特許文献２】特開２００３−１８４０４６号公報
【発明の開示】
【発明が解決しようとする課題】
【００１０】
アサリの成貝は様々な粒度分布で生息可能であるが、稚貝放流を行わずに再生産のみでアサリ漁場を維持するためには、浮遊幼生期〜着底期〜稚貝期〜成貝期のライフサイクルに最も適した粒度組成の覆砂材料を用いることが重要と考えられる。ところが、アサリのライフサイクルに最も適した粒度組成についての明確な知見は得られていないのが現状である。
【００１１】
また、従来、アサリ漁場整備を目的とした干潟造成においては、アサリ成貝の生息が確認されている周辺海域の底質粒度分布を参考にして、主に、中央粒径（例えばＤ50＝０．２〜０．４ｍｍ）や細粒分含有率（例えば含有率２０〜３０％）に着目して、覆砂材料として用いる海砂や山砂の選定を行っており、粗砂分含有率には着目していない。このため、覆砂材料の粗砂分含有率は２０％未満である場合が大半である。この粗砂分含有率２０％未満の一般的な干潟は、アサリ成貝の生育環境としては問題ないものと考えられるが、アサリ浮遊幼生の着底促進により、アサリ資源量増加を図る上での最適環境とは言い難いのが現状である。
【００１２】
本発明は、上述のような従来技術の問題に鑑み、アサリの浮遊幼生期〜着底期〜稚貝期〜成貝期までのライフサイクルにおいて最適な環境を保持するとともに浮遊幼生が着底し易い底質環境を提供可能な干潟覆砂材料、干潟造成方法、干潟覆砂方法及び干潟覆砂構造を提供することを目的とする。
【課題を解決するための手段】
【００１３】
上記目的を達成するために、本発明による干潟覆砂材料は、人工干潟やアサリ漁場の造成の際に、アサリの浮遊幼生が着底するために最適な粒径である粗砂を砂質土に混合することにより、混合後の粗砂分含有率２０〜５０％、かつ、粒径０．８５ｍｍの通過質量百分率５０〜８０％、かつ、粒径２ｍｍの通過質量百分率７０〜１００％としたことを特徴とする。
【００１４】
この干潟覆砂材料によれば、アサリの浮遊幼生が着底するために最適な粒径である粗砂（粒径０．８５〜２ｍｍ）を砂質土に混合し、混合後の粗砂分含有率２０〜５０％、粒径０．８５ｍｍの通過質量百分率５０〜８０％、粒径２ｍｍの通過質量百分率７０〜１００％とすることで、アサリの浮遊幼生期〜着底期〜稚貝期〜成貝期までのライフサイクルにおいて最適な環境を保持可能となるとともにアサリの浮遊幼生が着底し易い底質環境の造成が可能となる。これにより、アサリの持続的な生息のために最も重要なのは新規加入群の形成であるところ、アサリの浮遊幼生の着底促進を図ることができ、アサリの新規加入群を増加させ、アサリ資源量の増加が実現可能となる。
【００１５】
上記混合後の粗砂分含有率を２０〜５０％としている理由は、アサリが浮遊幼生から稚貝に成長するまでの過程では、着底適地として粗砂を好むものの、稚貝から成貝に成長するまでの過程では、保水性及び摂餌形態のため更に潜砂行動のし易さを求めるため粗砂よりも細かい粒径を好むことから、浮遊幼生期〜着底期〜稚貝期〜成貝期のライフサイクルに最も適した粒度組成としては、粗砂分含有率が５０％を超えるのは好ましくないからであり、２０％以上であれば、浮遊幼生の着底に充分であると考えられるからである。
【００１６】
本発明の干潟造成方法は、粗砂を砂質土に混合することにより、混合後の干潟覆砂材料が粗砂分含有率２０〜５０％、かつ、粒径０．８５ｍｍの通過質量百分率５０〜８０％、かつ、粒径２ｍｍの通過質量百分率７０〜１００％となるように人工干潟を造成することを特徴とする。
【００１７】
この干潟造成方法によれば、アサリの浮遊幼生が着底するために最適な粒径である粗砂（粒径０．８５〜２ｍｍ）を砂質土に混合し、混合後の粗砂分含有率２０〜５０％、粒径０．８５ｍｍの通過質量百分率５０〜８０％、粒径２ｍｍの通過質量百分率７０〜１００％とすることで、アサリの浮遊幼生期〜着底期〜稚貝期〜成貝期までのライフサイクルにおいて最適な環境を保持可能となるとともにアサリの浮遊幼生が着底し易い底質環境を造成できる。
【００１８】
本発明による別の干潟造成方法は、粗砂分含有率２０％未満、砂分含有率６０％以上、及び細粒分含有率４０％未満である砂質土に粗砂を混合することにより、混合後の干潟覆砂材料が粗砂分含有率２０〜５０％、かつ、粒径０．８５ｍｍの通過質量百分率５０〜８０％、かつ、粒径２ｍｍの通過質量百分率７０〜１００％となるように人工干潟を造成することを特徴とする。
【００１９】
この干潟造成方法によれば、アサリの浮遊幼生が着底するために最適な粒径である粗砂（粒径０．８５〜２ｍｍ）を、粗砂分含有率２０％未満、砂分含有率６０％以上及び細粒分含有率４０％未満の砂質土に混合し、混合後の粗砂分含有率２０〜５０％、粒径０．８５ｍｍの通過質量百分率５０〜８０％、粒径２ｍｍの通過質量百分率７０〜１００％とすることで、アサリの浮遊幼生期〜着底期〜稚貝期〜成貝期までのライフサイクルにおいて最適な環境を保持可能となるとともにアサリの浮遊幼生が着底し易い底質環境を造成できる。
【００２０】
本発明による更に別の干潟造成方法は、粗砂分含有率２０％未満、細粒分含有率３０％未満、粒径２ｍｍの通過質量百分率８０〜１００％、及び平均粒径Ｄ50＝０．１５〜０．６ｍｍである砂質土に粗砂を混合することにより、混合後の干潟覆砂材料が粗砂分含有率２０〜５０％、かつ、粒径０．８５ｍｍの通過質量百分率５０〜８０％、かつ、粒径２ｍｍの通過質量百分率７０〜１００％となるように人工干潟を造成することを特徴とする。
【００２１】
この干潟造成方法によれば、アサリの浮遊幼生が着底するために最適な粒径である粗砂（粒径０．８５〜２ｍｍ）を、粗砂分含有率２０％未満、細粒分含有率３０％未満、粒径２ｍｍの通過質量百分率８０〜１００％、及び平均粒径Ｄ50＝０．１５〜０．６ｍｍの砂質土に混合し、混合後の粗砂分含有率２０〜５０％、粒径０．８５ｍｍの通過質量百分率５０〜８０％、粒径２ｍｍの通過質量百分率７０〜１００％とすることで、アサリの浮遊幼生期〜着底期〜稚貝期〜成貝期までのライフサイクルにおいて最適な環境を保持可能となるとともにアサリの浮遊幼生が着底し易い底質環境を造成できる。
【００２２】
本発明による更に別の干潟造成方法は、粗砂分含有率２０％未満、かつ、砂分含有率６０％以上、かつ、細粒分含有率４０％未満の砂質土からなる干潟表層部に粗砂を３ｃｍ程度以内の層厚に散布することで人工干潟を造成することを特徴とする。
【００２３】
この干潟造成方法によれば、一般的にアサリ生息適地と考えられている砂質〜砂泥質干潟が形成されるような静穏な水域では、干潟表層部に粗砂が少ない場合が多く、細砂や中砂が粒度組成の大半を占める場合が多いが、このような粗砂分含有率の小さい砂質土からなる干潟表層部に、粗砂を３ｃｍ程度以内の層厚に散布することによって、浮遊幼生期〜着底期〜稚貝期〜成貝期のライフサイクルに最も適した干潟とすることが可能となるとともにアサリの浮遊幼生が着底し易い底質環境となる。
【００２４】
上述の各干潟造成方法によれば、アサリの持続的な生息のために最も重要なのは新規加入群の形成であるところ、アサリの浮遊幼生の着底促進を図ることができ、アサリの新規加入群を増加させ、アサリ資源量の増加が実現可能となる干潟を造成できる。
【００２５】
本発明による干潟覆砂方法は、粗砂分（粒径０．０８５〜２ｍｍ）含有率２０％未満、砂分（粒径０．０７５〜２ｍｍ）含有率６０％以上、及び細粒分（粒径０．０７５ｍｍ未満）含有率４０％未満の砂質土に砂混合装置を使用して粗砂を混合することで上述の干潟覆砂材料を調製した後に人工干潟の所定の領域に投下することを特徴とする。
【００２６】
この干潟覆砂方法によれば、砂質土に砂混合装置を使用して粗砂を混合することで、粗砂分含有率を大きくし、アサリ浮遊幼生の着底に適した底質環境の人工干潟を造成できる。
【００２７】
本発明による別の干潟覆砂方法は、粗砂分含有率２０％未満、砂分含有率６０％以上、及び細粒分含有率４０％未満の砂質土からなる干潟表層部に、砂散布装置を使用して粗砂を散布することによって前記干潟表層部を上述の干潟覆砂材料に改質することを特徴とする。
【００２８】
この干潟覆砂方法によれば、一般的にアサリ生息適地と考えられている砂質〜砂泥質干潟が形成されるような静穏な水域では、干潟表層部に粗砂（粒径０．８５〜２ｍｍ）が少ない場合が多く、細砂（粒径０．０７５〜０．２５ｍｍ）や中砂（粒径０．２５〜０．８５ｍｍ）が粒度組成の大半を占める場合が多いが、このような粗砂分含有率の小さい砂質土からなる干潟表層部に対して、砂散布装置を使用して粗砂を散布することで干潟表層部の粗砂分含有率を大きくし、アサリ浮遊幼生の着底に適した底質環境に改質することが可能となる。
【００２９】
上述の各干潟覆砂方法によれば、アサリの持続的な生息のために最も重要なのは新規加入群の形成であるところ、アサリの浮遊幼生の着底促進を図ることができ、アサリの新規加入群を増加させ、アサリ資源量の増加が実現可能となる干潟を造成できる。
【００３０】
本発明による二層覆砂形式の干潟覆砂構造は、粗砂分（粒径０．８５〜２ｍｍ）含有率２０％未満、かつ、砂分（粒径０．０７５〜２ｍｍ）含有率６０％以上、かつ、細粒分（粒径０．０７５ｍｍ未満）含有率４０％未満の砂質土からなる干潟表層部で粗砂を３ｃｍ程度以内の層厚に散布することによって構成されることを特徴とする。
【００３１】
この二層覆砂形式の干潟覆砂構造によれば、一般的にアサリ生息適地と考えられている砂質〜砂泥質干潟が形成されるような静穏な水域では、干潟表層部に粗砂が少ない場合が多く、細砂や中砂が粒度組成の大半を占める場合が多いが、このような粗砂分含有率の小さい砂質土からなる干潟表層部を、粗砂を３ｃｍ程度以内の層厚に散布した干潟覆砂構造に改修することによって、浮遊幼生期〜着底期〜稚貝期〜成貝期のライフサイクルに最も適した干潟とすることが可能となるとともにアサリの浮遊幼生が着底し易い底質環境となる。
【００３２】
上記干潟覆砂構造の粗砂の層厚を３ｃｍ程度以内としている理由は、アサリの生息深度は、殻長の１〜２倍程度と言われており、干潟表層から稚貝（一般に、殻長１５ｍｍ未満）の生息深度までの範囲を粗砂とすることで、浮遊幼生期〜着底期〜稚貝期までの最適環境を整えることが可能であるとともに、粗砂の下に粗砂分含有率の小さい細砂（粒径０．０７５〜０．２５ｍｍ）〜中砂（粒径０．２５〜０．８５ｍｍ）主体の砂質土を残すことで、稚貝期〜成貝期までの最適環境を保持することができるからである。
【００３３】
本発明による別の干潟覆砂構造は、粗砂分（粒径０．８５〜２ｍｍ）含有率２０％未満、かつ、砂分（粒径０．２５〜０．８５ｍｍ）含有率６０％以上、かつ、細粒分（粒径０．２５ｍｍ未満）含有率４０％未満の砂質土からなる干潟表層部で粗砂を複数のエリアに散布し複数の粗砂溜まりを形成することによって構成されることを特徴とする。
【００３４】
この干潟覆砂構造によれば、一般的にアサリ生息適地と考えられている砂質〜砂泥質干潟が形成されるような静穏な水域では、干潟表層部に粗砂が少ない場合が多く、細砂や中砂が粒度組成の大半を占める場合が多いが、このような粗砂分含有率の小さい砂質土からなる干潟表層部を、粗砂を散布し複数の粗砂溜まりを有する干潟覆砂構造に改修することによって、浮遊幼生着底期〜稚貝期〜成貝期のライフサイクルに最も適した干潟とすることが可能となるとともにアサリの浮遊幼生が着底し易い底質環境となる。
【００３５】
上記粗砂溜まりを複数のエリアに点在させた理由は、同一海域に、浮遊幼生期〜稚貝期までの最適環境（粗砂溜まり）と、稚貝期〜成貝期までの最適環境（粗砂分含有率の小さい細砂〜中砂主体の砂質土）を点在させることでアサリが成長する過程で生育環境の適地を求めて移動することが可能となるからである。
【００３６】
上記干潟覆砂構造において前記複数の粗砂溜まりが前記干潟表層部の平均潮位以下のエリアに形成されることが好ましい。
【００３７】
上述のように平均潮位の沖側の干潟表層部に粗砂溜まりを形成するのは、アサリの稚貝は水温及び塩分耐性が弱く、水温や塩分濃度の変化が大きい干潮域での生残率が低いことから、平均潮位以下の水温や塩分変動の少ない場所にアサリの着底に最適な粒径である粗砂を配置することで着底後の生残率が高くなるからである。
【００３８】
上述の各干潟覆砂構造によれば、アサリの持続的な生息のために最も重要なのは新規加入群の形成であるところ、アサリの浮遊幼生の着底促進を図ることができ、アサリの新規加入群を増加させ、アサリ資源量の増加が実現可能となる干潟となる。
【発明の効果】
【００３９】
本発明の干潟覆砂材料、干潟造成方法、干潟覆砂方法及び干潟覆砂構造によれば、アサリの浮遊幼生期〜着底期〜稚貝期〜成貝期までのライフサイクルにおいて最適な環境を保持するとともに浮遊幼生が着底し易い底質環境を提供可能となる。
【発明を実施するための最良の形態】
【００４０】
以下、本発明を実施するための最良の形態について図面を用いて説明する。
【００４１】
〈第１の実施の形態（干潟覆砂材料）〉
【００４２】
図４は第１の実施の形態による干潟覆砂材料の粒径加積曲線の例を示す図である。図５は第１の実施の形態の干潟覆砂材料で造成した人工干潟におけるアサリ浮遊幼生着底期（ａ）、アサリ稚貝期（ｂ）及びアサリ成貝期（ｃ）の効果を概念的に説明するための図である。
【００４３】
第１の実施の形態による干潟覆砂材料は、アサリの浮遊幼生が着底するために最適な粒径である粗砂（粒径０．８５〜２ｍｍ）を、例えば粗砂分（粒径０．８５〜２ｍｍ）含有率２０％未満、かつ、砂分（粒径０．０７５〜０．８５ｍｍ）含有率６０％以上、かつ、細粒分（粒径０．０７５ｍｍ未満）含有率４０％未満の砂質土に混合することによって、混合後の粗砂分含有率２０〜５０％、かつ、粒径０．８５ｍｍの通過質量百分率５０〜８０％、かつ、粒径２ｍｍの通過質量百分率７０〜１００％とするものである。
【００４４】
図４に、混合後の粗砂分含有率２０〜５０％、粒径０．８５ｍｍの通過質量百分率５０〜８０％、粒径２ｍｍの通過質量百分率７０〜１００％である第１の実施の形態による干潟覆砂材料の条件を満たす範囲をハッチングによる範囲Ａで示す。
【００４５】
また、現地土の砂質土の条件としては、例えば、粗粒分（粒径０．０７５〜７５ｍｍ）含有率５０％以上、かつ、砂分（粒径０．０７５〜２ｍｍ）含有率が礫分（粒径２〜７５ｍｍ）含有率以上、かつ、細粒分（粒径０．０７５ｍｍ未満）含有率４０％であってよいが、かかる砂質土の条件を図４の破線で示す範囲Ｂで示す。例えば、上記砂質土の範囲Ｂ内の図４の粒径加積曲線ｂである現地土を用いて図４の粒径加積曲線ａのような干潟覆砂材料を得ることができる。上記覆砂材料は図４の範囲Ａ内にあり、干潟覆砂材料の条件を満たす。
【００４６】
なお、粒径加積曲線とは、土粒子のふるい分け試験による粒度分析で得た結果（粒度分布状態）をある粒径より小さい土粒子の割合の百分率と粒径（対数）で表した曲線をいう。図４の各粒径加積曲線ａ、ｂは、地盤工学会基準の「土の粒度試験方法」(JGS 0131-2000）により得たものであり、後述の図６，図７においても同様である。また、図４の下側に示す土の粒度（粒径）の分類は地盤工学会基準によるものであり、図４の右側に粒度分布を求める際のふるい分け基準を示す。
【００４７】
本実施の形態の干潟覆砂材料により造成された人工干潟では、粗砂及び現地土と比較すると、アサリの浮遊幼生着底期には図５（ａ）のように、粗砂、覆砂材料の順で着底個体数が多く、稚貝期には図５（ｂ）のように、粗砂、覆砂材料の順に生残個体数が多いが、成貝期には図５（ｃ）のように、覆砂材料で最も生残個体数が多い。
【００４８】
以上のように、本実施の形態の干潟覆砂材料によれば、浮遊幼生が着底し易い環境の人工干潟を造成できるとともに、その人工干潟においてアサリの浮遊幼生期〜着底期〜稚貝期〜成貝期までのライフサイクルにおいて最適な環境を保持できる。このため、アサリの持続的な生息のために最も重要なのは新規加入群の形成であるが、アサリ浮遊幼生の着底を促進し、アサリの新規加入群を増加させることができるので、アサリ成貝量の増加によりアサリ資源量の増加を図ることができる。
【００４９】
本実施の形態の干潟覆砂材料では、所望の干潟底生生物をアサリに限定し、粗砂分含有率に着目し、更にアサリの着底場所選択行動に着目して粗砂分合有率の小さい覆砂材料に粗砂を混合し、アサリ漁場の適地を造成することができる。
【００５０】
〈第２の実施の形態（干潟造成方法）〉
【００５１】
図６は第２の実施の形態による干潟造成方法における干潟覆砂材料の粒径加積曲線の例を示す図である。
【００５２】
第２の実施の形態による干潟造成方法は、粗砂分含有率２０％未満、砂分含有率６０％以上、及び細粒分含有率４０％未満である砂質土に粗砂を混合し、その混合後の干潟覆砂材料が粗砂分含有率２０〜５０％、かつ、粒径０．８５ｍｍの通過質量百分率５０〜８０％、かつ、粒径２ｍｍの通過質量百分率７０〜１００％となるように人工干潟を造成するものである。
【００５３】
図６に、第２の実施の形態による干潟造成方法における干潟覆砂材料の条件を満たす範囲をハッチングによる範囲Ａ１で示す。また、現地土の砂質土の上記条件を図６の破線で示す範囲Ｂ１で示す。例えば、上記砂質土の範囲Ｂ１内の図６の粒径加積曲線ｂ１である現地土を用いて図６の粒径加積曲線ａ１のような干潟覆砂材料を得ることができる。上記覆砂材料は図６の範囲Ａ１内にあり、干潟覆砂材料の条件を満たす。
【００５４】
上述の干潟造成方法によれば、アサリの浮遊幼生が着底するために最適な粒径である粗砂（粒径０．８５〜２ｍｍ）を、粗砂分含有率２０％未満、砂分含有率６０％以上及び細粒分含有率４０％未満の砂質土に混合し、混合後の粗砂分含有率２０〜５０％、粒径０．８５ｍｍの通過質量百分率５０〜８０％、粒径２ｍｍの通過質量百分率７０〜１００％とすることで、アサリの浮遊幼生期〜着底期〜稚貝期〜成貝期までのライフサイクルにおいて最適な環境を保持可能となるとともにアサリの浮遊幼生が着底し易い底質環境を造成できる。
【００５５】
次に、第２の実施の形態による別の干潟造成方法について図７を参照して説明する。図７は第２の実施の形態による別の干潟造成方法における干潟覆砂材料の粒径加積曲線の例を示す図である。
【００５６】
第２の実施の形態による別の干潟造成方法は、粗砂分含有率２０％未満、細粒分含有率３０％未満、粒径２ｍｍの通過質量百分率８０〜１００％、及び平均粒径Ｄ50＝０．１５〜０．６ｍｍである砂質土に粗砂を混合することにより、混合後の干潟覆砂材料が粗砂分含有率２０〜５０％、かつ、粒径０．８５ｍｍの通過質量百分率５０〜８０％、かつ、粒径２ｍｍの通過質量百分率７０〜１００％となるように人工干潟を造成するものである。
【００５７】
図７に、第２の実施の形態による別の干潟造成方法における干潟覆砂材料の条件を満たす範囲をハッチングによる範囲Ａ２で示す。また、現地土の砂質土の上記条件を図７の破線で示す範囲Ｂ２で示す。例えば、上記砂質土の範囲Ｂ２内の図７の粒径加積曲線ｂ２である現地土を用いて図７の粒径加積曲線ａ２のような干潟覆砂材料を得ることができる。上記覆砂材料は図７の範囲Ａ２内にあり、干潟覆砂材料の条件を満たす。
【００５８】
この干潟造成方法によれば、アサリの浮遊幼生が着底するために最適な粒径である粗砂（粒径０．８５〜２ｍｍ）を、粗砂分含有率２０％未満、細粒分含有率３０％未満、粒径２ｍｍの通過質量百分率８０〜１００％、及び平均粒径Ｄ50＝０．１５〜０．６ｍｍの砂質土に混合し、混合後の粗砂分含有率２０〜５０％、粒径０．８５ｍｍの通過質量百分率５０〜８０％、粒径２ｍｍの通過質量百分率７０〜１００％とすることで、アサリの浮遊幼生期〜着底期〜稚貝期〜成貝期までのライフサイクルにおいて最適な環境を保持可能となるとともにアサリの浮遊幼生が着底し易い底質環境を造成できる。
【００５９】
また、図１６には、同図に示す全国各地の干潟の砂質土（現地土）の粒径加積曲線を示し、併せて図７の干潟覆砂材料の条件を満たす範囲Ａ２及び砂質土の条件を満たす範囲Ｂ２を示す。図１６から全国各地の干潟の砂質土の粒径加積曲線は図７の砂質土の条件を満たす範囲Ｂ２内にほぼ収まることが分かる。
【００６０】
以上の第２の実施の形態の各干潟造成方法により造成された干潟では、アサリの持続的な生息のために最も重要なのは新規加入群の形成であるところ、アサリの浮遊幼生の着底促進を図ることができ、アサリの新規加入群を増加させ、アサリ資源量の増加が実現可能となる。なお、上述の各干潟造成方法は、後述の図８または図９の干潟覆砂方法により実行可能である。
【００６１】
〈第３の実施の形態（干潟覆砂方法）〉
【００６２】
図８は第３の実施の形態による干潟覆砂方法（事前混合方式）を説明するための図である。図９は第３の実施の形態による別の干潟覆砂方法（原位置散布方式）を説明するための図である。
【００６３】
図８の干潟覆砂方法は、上述の干潟覆砂材料からなる人工干潟を造成する方法であり、粗砂分（粒径０．８５〜２ｍｍ）含有率２０％未満、かつ、砂分（粒径０．０７５〜２ｍｍ）含有率６０％以上、かつ、細粒分（粒径０．０７５ｍｍ未満）含有率４０％未満の砂質土に砂混合装置を使用して粗砂（粒径０．８５〜２ｍｍ）を混合することで上述の干潟覆砂材料を調製した後に、所定の位置に投下する人工干潟覆砂方法である。
【００６４】
図８に示すように、台船上において、現地土供給ラインでは、人工干潟造成地域で採取した現地土を土運船で運びバックホウで定量フィーダに送り、粗砂供給ラインでは、粗砂を土運船で運びバックホウで定量フィーダに送り、各定量フィーダからの現地土と粗砂とを粗砂分含有率が２０〜５０％となるように混練機（砂混合装置）で混合してから、フローテイングコンベアで投入箇所に移動し投入する。
【００６５】
以上のように、図８では台船上において現地土供給ラインと粗砂供給ラインと混練機とにより現地土と粗砂とを混合することで得た干潟覆砂材料を、人工干潟の造成位置に移動し投下することにより、人工干潟を造成する。
【００６６】
図９の干潟覆砂方法は、上述の干潟覆砂材料を現地で散布することで人工干潟を造成しまたは天然干潟を改質する方法であり、粗砂分含有率２０％未満、かつ、砂分含有率６０％以上、かつ、細粒分含有率４０％未満の砂質土からなる干潟表層部に砂散布装置を使用して粗砂を散布することで、干潟表層部を上述の覆砂材料に改質したりまたは人工干潟を造成する覆砂方法である。
【００６７】
図９に示すように、台船上において、粗砂を土運船で運びバックホウでジェットコンベア（砂散布装置）に供給し、粗砂を原位置（改質対象位置または人工干潟造成位置）に散布する。このように、図９では台船上から粗砂を天然干潟または人工干潟に散布することで、干潟表層部を上述の覆砂材料に改質したりまたは人工干潟を造成する。
【００６８】
以上のように、本実施の形態の干潟覆砂方法によれば、浮遊幼生が着底し易い環境の人工干潟を造成でき、または、天然干潟を浮遊幼生が着底し易い環境に改質できるとともに、その干潟においてアサリの浮遊幼生期〜着底期〜稚貝期〜成貝期までのライフサイクルにおいて最適な環境を保持できる。このため、アサリの持続的な生息のために最も重要なのは新規加入群の形成であるが、アサリ浮遊幼生の着底を促進し、アサリの新規加入群を増加させることができるので、アサリ成貝量の増加によりアサリ資源量の増加を図ることができる。
【００６９】
〈第４の実施の形態（干潟覆砂構造）〉
【００７０】
図１０は第４の実施の形態による二層覆砂形式の干潟覆砂構造を説明するための断面図である。図１１は第４の実施の形態による別の干潟覆砂構造（粗砂溜まりを有する）を説明するための断面図である。図１２は図１１の干潟覆砂構造（粗砂溜まりを有する）の平面配置例（干潮時）として点在型（ａ）、直角型（ｂ）、平行型（ｃ）、格子型（ｄ）を説明するための平面図である。図１３は第４の実施の形態の干潟覆砂構造を有する干潟におけるアサリ浮遊幼生期（ａ）、アサリ稚貝期（ｂ）及びアサリ成貝期（ｃ）の効果を概念的に説明するための図である。
【００７１】
図１０に示す二層覆砂形式の干潟覆砂構造は、粗砂分（粒径０．８５〜２ｍｍ）含有率２０％未満、かつ、砂分（粒径０．０７５〜２ｍｍ）含有率６０％以上、かつ、細粒分（粒径０．０７５ｍｍ未満）含有率４０％未満の砂質土からなる干潟表層部に、アサリの浮遊幼生が着底するために最適な粒径である粗砂（粒径０．８５〜２ｍｍ）を３ｃｍ程度以内の層厚で全面散布することで構成されている。
【００７２】
図１０の二層覆砂形式の干潟覆砂構造では、殻長約０．２５ｍｍの浮遊幼生１が粗砂層Ｂの表面で粗砂に着底し、稚貝２は殻長約０．２５ｍｍから粗砂内で生育し、殻長約１５ｍｍに生育するときは粗砂から細砂〜中砂が主体の砂質土へ潜り込み（潜砂）、成貝３は砂質土で生育するようにして、アサリは成長に伴い鉛直移動をする。
【００７３】
アサリの生息深度は、殻長の１〜２倍程度と言われており、粗砂の層厚を３ｃｍ程度以内とすることで、干潟表層から殻長１５ｍｍ未満の稚貝２の生息深度までの範囲を粗砂にできるので、浮遊幼生１の着底〜稚貝２の生育までの最適環境を整えることができる。また、粗砂の下に粗砂分含有率の小さい細砂（粒径０．０７５〜０．２５ｍｍ）〜中砂（粒径０．２５〜０．８５ｍｍ）主体の砂質土を残すことで、稚貝２の生育〜成貝３の生育までの最適環境を保持できる。
【００７４】
なお、図８の干潟覆砂構造を海上施工で仕上げることが困難である場合、予め干潟全面の粗砂厚が３ｃｍ程度以内となる所定の土量を計算した上で、その全土量を、例えば、図１２に示すような各平面配置で散布し、潮汐、波浪、降雨などの自然の侵食作用を利用して均一に均されるまで時間をおくことで施工できる。
【００７５】
次に、図１１に示す干潟覆砂構造は、粗砂分含有率２０％未満、かつ、砂分含有率６０％以上、かつ、細粒分含有率４０％未満の砂質土からなる干潟表層部でアサリの浮遊幼生が着底するために最適な粒径である粗砂を複数のエリアに散布することで複数の粗砂溜まりを有するように構成されている。
【００７６】
図１１の粗砂溜まりを有する干潟覆砂構造では、殻長約０．２５ｍｍの浮遊幼生１が粗砂溜まりＣで粗砂に着底し、稚貝２は殻長約０．２５ｍｍから粗砂溜まりＣ内で生育し、殻長約１５ｍｍに生育するときは粗砂溜まりＣから細砂〜中砂が主体の砂質土へ移動し、成貝３は砂質土で生育するようにして、アサリは成長に伴い水平移動をする。
【００７７】
粗砂溜まりＣを複数のエリアに点在させることで、同一海域に、浮遊幼生１の着底〜稚貝２の生育までの最適環境（粗砂溜まり）と、稚貝２の生育〜成貝３の生育までの最適環境（粗砂分含有率の小さい細砂〜中砂主体の砂質土）とを点在させることができるので、アサリが成長する過程で生育環境の適地を求めて移動できる。
【００７８】
なお、図１１の粗砂溜まりを有する干潟覆砂構造は、例えば図９の干潟覆砂方法（原位置散布方式）により粗砂を領域を限定して散布することで施工できる。
【００７９】
また、図１１の干潟覆砂構造における粗砂溜まりは、図１２（ａ）〜（ｄ）のように、平均潮位(M.W.L.)を基準にして高潮位(H.W.L.)の岸側及び低潮位(L.W.L.)の沖側に散布することで、沖側及び岸側の干潟表層部に形成される。
【００８０】
粗砂溜まりは平面的に、図１２（ａ）のように点在して配置したり、図１２（ｂ）のように岸に対しほぼ直角に配置したり、図１２（ｃ）のように岸に対しほぼ平行に配置したり、図１２（ｄ）のように格子形状に配置できる。
【００８１】
また、図１２（ａ）〜（ｄ）のように、粗砂溜まりは、施工上、干潟全域に様々なパターンで設けることができるが、効果が最も期待できるのは平均潮位以下のエリアに設けることである。即ち、平均潮位(M.W.L.)を基準にして沖側の干潟表層部に粗砂溜まりを形成することで、水温や塩分変動の少ない場所にアサリの浮遊幼生の着底に最適な粒径である粗砂を配置することができ、着底後の生残率が高くなる。
【００８２】
本実施の形態の干潟覆砂構造を持つ干潟では、粗砂及び現地土と比較すると、アサリの浮遊幼生期には図１３（ａ）のように、粗砂、本覆砂構造の順で着底個体数が多く、アサリは、稚貝期に図１３（ｂ）のように、粗砂、本覆砂構造の順に生残個体数が多いが、成貝期に図１３（ｃ）のように、本覆砂構造で最も生残個体数が多い。
【００８３】
以上のように、本実施の形態の干潟覆砂構造は、アサリの浮遊幼生期〜着底期〜稚貝期〜成貝期までのライフサイクルにおいて最適な環境を保持できるとともに、浮遊幼生が着底し易い底質環境を保持できる。このため、アサリの持続的な生息のために最も重要なのは新規加入群の形成であるが、アサリ浮遊幼生の着底を促進し、アサリの新規加入群を増加させることができるので、アサリ成貝量の増加によりアサリ資源量の増加を図ることができる。
【００８４】
本実施の形態の干潟覆砂構造では、所望の干潟底生生物をアサリに限定し、アサリの着底場所選択行動に着目して、浮遊幼生着底に有効な粗砂を活用することで、アサリのライフサイクルにおいて最適な環境を与えることができる。
【実施例】
【００８５】
次に、本発明を実施例により更に具体的に説明するが、本発明は本実施例に限定されるものではない。
【００８６】
本実施例は、実海域で行った実証実験である。即ち、実海域において粒径の異なる干潟覆砂材料を設置し、アサリ浮遊幼生の粒径選択性を明らかにするために実証実験を行った。
【００８７】
実験ケースの例１乃至６の各粒径を次の表１に示し、例１乃至６の粒径加積曲線を図１４に示す。なお、例６の現地土は、実際にアサリが多く生息している干潟の砂を使用した。
【００８８】
【表１】
2006274690.tif 000003
【００８９】
実験結果を図１５に示す。図１５の実験結果から、覆砂１ｃｍ3当りの稚貝の着底数は、例４の粗砂（粒径０．８５〜２ｍｍ）で最も多く確認されたことから、実海域においても、粗砂（粒径０．８５〜２ｍｍ）がアサリの浮遊幼生の着底に最適な粒径であると考えられる。また、浮遊幼生の着底に関しては、実際にアサリが多く生息している干潟から採取した砂が最適とは限らないことが判明した。
【００９０】
以上のように本発明を実施するための最良の形態について説明したが、本発明はこれらに限定されるものではなく、本発明の技術的思想の範囲内で各種の変形が可能である。例えば、粗砂溜まりの平面配置は図１２（ａ）〜（ｄ）の形状に限定されるもではなく、他の平面配置であってもよいことは勿論である。
【図面の簡単な説明】
【００９１】
【図１】非特許文献１(「アサリ幼生の着底場選択性と三河湾における分布量」柳橋茂昭、水産工学Vol.29(1)、55〜59頁、1992)におけるアサリ幼生についての着底個体数の調査結果を示すグラフ（ａ）及びアサリ幼生の着底個体数調査を説明するための図（ｂ）である。
【図２】アサリ稚貝が足糸を伸ばし土粒子に貼り付ける様子を概略的に示す図である。
【図３】本発明者らが従来の研究事例を参考にしてまとめた、アサリの生育環境と粒度分布の関係を説明するための図である。
【図４】第１の実施の形態による干潟覆砂材料の粒径加積曲線の例を示す図である。
【図５】第１の実施の形態の干潟覆砂材料で造成した人工干潟におけるアサリ浮遊幼生期（ａ）、アサリ稚貝期（ｂ）及びアサリ成貝期（ｃ）の効果を説明するための図である。
【図６】第２の実施の形態による干潟造成方法における干潟覆砂材料の粒径加積曲線の例を示す図である。
【図７】第２の実施の形態による別の干潟造成方法における干潟覆砂材料の粒径加積曲線の例を示す図である。
【図８】第３の実施の形態による干潟覆砂方法（事前混合方式）を説明するための図である。
【図９】第３の実施の形態による別の干潟覆砂方法（原位置散布方式）を説明するための図である。
【図１０】第４の実施の形態による二層覆砂形式の干潟覆砂構造を説明するための断面図である。
【図１１】第４の実施の形態による別の干潟覆砂構造（粗砂溜まりを有する）を説明するための断面図である。
【図１２】図１１の干潟覆砂構造（粗砂溜まりを有する）の平面配置例（干潮時）として点在型（ａ）、直角型（ｂ）、平行型（ｃ）、格子型（ｄ）を説明するための平面図である。
【図１３】第３の実施の形態の干潟覆砂構造を有する干潟におけるアサリ浮遊幼生期（ａ）、アサリ稚貝期（ｂ）及びアサリ成貝期（ｃ）の効果を概念的に説明するための図である。
【図１４】本実施例における例１乃至６の各粒径加積曲線を示す図である。
【図１５】本実施例における実験結果を示す図である。
【図１６】全国各地の干潟の砂質土（現地土）の粒径加積曲線を示す図である。
【符号の説明】
【００９２】
１ 浮遊幼生
２ 稚貝
３ 成貝
Ｂ 粗砂層
Ｃ 粗砂溜まり
【図１】
2006274690.tif 000004
【図２】
2006274690.tif 000005
【図３】
2006274690.tif 000006
【図４】
2006274690.tif 000007
【図５】
2006274690.tif 000008
【図６】
2006274690.tif 000009
【図７】
2006274690.tif 000010
【図８】
2006274690.tif 000011
【図９】
2006274690.tif 000012
【図１０】
2006274690.tif 000013
【図１１】
2006274690.tif 000014
【図１２】
2006274690.tif 000015
【図１３】
2006274690.tif 000016
【図１４】
2006274690.tif 000017
【図１５】
2006274690.tif 000018
【図１６】
2006274690.tif 000019